(57)【要約】【課題】腐蝕した間伐材から舟食虫等の虫の餌を供給するとともに、栄養分を海中に供給することにより魚介類の生育を促進するとともに、魚介類の蝟集効果を高め、かつ、間伐材を補充もしくは取替交換可能としたハイブリッド魚礁の提供を目的とする。【解決手段】海底に設置する人工の魚礁であって、コンクリート・鋼材・間伐材の組合せでなるとともに、魚礁内に間伐材１５を補充もしくは取替交換可能に収納したハイブリッド魚礁１０を基本構造としている。具体的にはコンクリートの底盤１１上に中空ボックス状の鋼製骨組を構成し、該鋼製骨組の内部に複数段の木材収納ボックス１４ａ，１４ｂ，１４ｃ，１４ｄを着脱自在に配置して、各木材収納ボックス内に間伐材１５を横置状として並置収納してある。更に鋼製骨組を構成する柱材１２を隠蔽する部位に、複数本の間伐材１５を補充もしくは取替交換可能に立設したハイブリッド魚礁を提供する。【選択図】      図１
2004344021.tif 000002
【特許請求の範囲】
【請求項１】
海底に設置する人工の魚礁であって、コンクリート・鋼材・間伐材の組合せでなるとともに、魚礁内に間伐材を補充もしくは取替交換可能に収納したことを特徴とするハイブリッド魚礁。
【請求項２】
コンクリートの底盤上に中空ボックス状の鋼製骨組を構成し、該鋼製骨組の内部に複数段の木材収納ボックスを着脱自在に配置して、各木材収納ボックス内に間伐材を横置状として並置収納したことを特徴とするハイブリッド魚礁。
【請求項３】
コンクリートの底盤上に中空ボックス状の鋼製骨組を構成し、該鋼製骨組の内部に複数段の木材収納ボックスを着脱自在に配置して、各木材収納ボックス内に間伐材を横置状として並置収納し、鋼製骨組を構成する柱材を隠蔽する部位に、複数本の間伐材を補充もしくは取替交換可能に立設したことを特徴とするハイブリッド魚礁。
【発明の詳細な説明】
【０００１】
【発明の属する技術分野】
本発明はコンクリート・鋼材・間伐材からなる人工の魚礁であって、腐蝕した間伐材が舟食虫等の虫の餌となり、或いは栄養分を海中に供給することにより魚介類の生育を促進するとともに魚介類の蝟集効果を高め、特に徐々に腐蝕していく間伐材を一定期間毎に補充もしくは取替交換可能としたハイブリッド魚礁に関するものである。
【０００２】
【従来の技術】
従来から海洋での魚を蝟集させる目的で人工の魚礁を作製して海底に設置する手段が知られている。魚礁の主材としてコンクリートブロックとか鋼製部材が多く用いられており、これらの魚礁は海藻類が育成可能な多孔質のコンクリート材の内方に魚介類が容易に進入可能な通路及び部屋が上下多数段に形成され、魚介類の隠れ場所としても適当な内部構造となっている。上記コンクリート材に代えて自然石を加工したり、廃船となった漁船もしくはタンカーを沈めて人工魚礁とした例もある。
【０００３】
図９は従来のコンクリート魚礁の一例を示すものであって、中空立方骨組状のブロック本体１の各頂点部２，２から内方に向けて骨部材３，３を延長し、中心部４で結合したブロック魚礁を構成している。海水中には海藻類が摂取可能な微量元素として、チッソ，リン，ケイ素，亜鉛，銅，コバルト，マンガンが多く含まれており、コンクリート魚礁に海藻類を効率的に育成させるための手段として、海藻類の苗をコンクリート材の表面に植え付ける方法とか、コンクリート材に自然岩石とか貝殻を混入したり貼り付ける方法があり、更にコンクリート材からのアクの放散を防止するために該コンクリート材の表面に合成樹脂剤を塗着したり、コンクリート材を有機物溶液の中に所定の期間浸漬して溶解成分を除去してから海底に浸漬する方法が採られている。
【０００４】
上記のハイブリッド魚礁に関し、本出願人は先にコンクリート・鋼材・間伐材の組合せでなるハイブリッド構造としたハイブリッド魚礁、特にコンクリートの底盤上に中空ボックス状の鋼製骨組を構成し、該鋼製骨組の内部に、鋼材により上段，中段，下段の棚部を形成して、各棚部上に間伐材を横置状として並置固定し、鋼製骨組を構成する柱材を隠蔽する部位に、複数本の間伐材をＬ字状に立設したハイブリッド魚礁を提案した（特許文献１参照）。
【０００５】
かかるハイブリッド魚礁によれば、海底に設置した際に底盤により安定性が確保されるとともに中空ボックス状の鋼製骨組によって形状が安定化して魚介類の住みかが形成され、鋼材によって形成された上段，中段，下段の各棚部上に並置された間伐材及び柱材の外側にＬ字状に立設された間伐材が長期に亘って徐々に腐蝕しながらチッソ，リン等の栄養分を海中に供給することによってプランクトンが大量に発生し、プランクトンを食べるために小型の魚介類が蝟集し、この小型の魚介類を食べる大型の魚介類も蝟集する。従って単に魚介類の生育場所と隠れ家を形成するだけでなく、間伐材の腐蝕に伴って長期に亘って海中に栄養分を供給することが可能なハイブリッド魚礁が得られる。
【０００６】
【特許文献１】
実用新案登録第３０９２９６１号
【０００７】
【発明が解決しようとする課題】
近年大型海藻が消失して海中の栄養分が不足していることが指摘されており、特に沿岸域の漁獲生産力が低下する「磯焼け」が大きな問題となっている。この「磯焼け」は海中の栄養分不足が主な原因であり、これに対処して設置されている前記コンクリートブロックや鋼製でなる人工の魚礁は、魚を蝟集させる目的，即ち魚の生育場所と隠れ家を形成する機能が主であって、海中に栄養分を供給する機能は有していない。
【０００８】
一方、我が国の山は近年の木材価格の低迷等により林業従事者の減少と高齢化が進み、人工林の間伐などの維持管理が行われていない放置林の面積が増大しつつあり、全国的に森林の公益的機能が低下する傾向にある。その対策として森林の適正な維持管理を継続するために間伐材を有効利用することによって林業従事者の収益を高めることが肝要な事項となっている。最近では山から河川を通じて海へ栄養分を供給するという森林の機能が注目されており、山と海は豊かな沿岸域を形成する上で密接な関係があるため漁業従事者が山に木を植えるということもよく聞かれる。
【０００９】
前記した特許文献１によれば、中空ボックス状の鋼製骨組によって形状が安定化して魚介類の住みかが形成されるとともに、上段，中段，下段の各棚部上に並置された間伐材及び柱材の外側にＬ字状に立設された間伐材が徐々に腐蝕することによって栄養分を海中に供給することができるが、腐蝕した間伐材を定期的に取替交換可能にはなっていないという問題が残っている。
【００１０】
そこで本発明は、コンクリート・鋼材・間伐材のハイブリッド構造としたことにより、徐々に腐蝕していく間伐材を長期間海中に設置することを可能とし、腐蝕した間伐材を舟食虫等の虫の餌とするとともに、腐食した間伐材から栄養分を海中に供給することにより、魚介類の蝟集効果を高めるとともに、間伐材を一定期間毎に補充もしくは取替交換可能としたハイブリッド魚礁を提供することを目的としている。
【００１１】
【課題を解決するための手段】
本発明は上記目的を達成するために、海底に設置する人工の魚礁であって、コンクリート・鋼材・間伐材の組合せでなるとともに、魚礁内に間伐材を補充もしくは取替交換可能に収納したハイブリッド魚礁を基本構造としている。
【００１２】
具体的には、コンクリートの底盤上に中空ボックス状の鋼製骨組を構成し、該鋼製骨組の内部に複数段の木材収納ボックスを着脱自在に配置して、各木材収納ボックス内に間伐材を横置状として並置収納してある。更に鋼製骨組を構成する柱材を隠蔽する部位に、複数本の間伐材を補充もしくは取替交換可能に立設したハイブリッド魚礁を提供する。
【００１３】
かかるハイブリッド魚礁によれば、海底に設置した際に底盤により安定性が確保されるとともに中空ボックス状の鋼製骨組によって形状が安定化して魚介類の住みかが形成され、着脱自在に配置された木材収納ボックス内に並置収納された間伐材及び柱材の外側に立設された間伐材が長期に亘って徐々に腐蝕しながら、舟食虫等の虫の餌となり、又チッソ，リン等の栄養分を海中に供給することによってプランクトンが大量に発生し、プランクトン及び虫を食べるために小型の魚介類が蝟集し、この小型の魚介類を食べる大型の魚介類も蝟集する。従って単に魚介類の生育場所と隠れ家を形成するだけでなく、間伐材を補充もしくは取替交換可能としたことによって、該間伐材の腐蝕に伴って長期に亘って海中に舟食虫等の虫の餌と栄養分を供給することができる。
【００１４】
【発明の実施の形態】
以下図面に基づいて本発明にかかるハイブリッド魚礁の実施形態を説明する。図１は本発明にかかるハイブリッド魚礁１０を全体的に示す斜視図、図２は同正面図であり、図中の１１はコンクリート製の底盤であって、この底盤１１は平面視が基本的に正方形に構成され、中心部には略正方形の孔部１１ａが貫通して形成されている。底盤１１は海底でのハイブリッド魚礁１０の安定性を確保する機能を有している。尚、底盤１１の平面視は必ずしも正方形でなくてもよく、他の直方形状とか多角形もしくは円形であってもよい。
【００１５】
１２，１２は底盤１１上の前記孔部１１ａの角部近傍に立設された鋼製の柱材であり、この４本の柱材１２，１２は断面がＨ型のチャンネル材で構成されており、柱材１２，１２の下端部は底盤１１内に嵌入した状態として固定され、上端部は４本の横桁材１３，１３によって連結されている。従って４本の柱材１２，１２と４本の横桁材１３，１３によって中空ボックス状の鋼製骨組が構成される。この鋼製骨組はハイブリッド魚礁１０としての形状を安定化するとともに魚介類の住みかを形成し、後述する木材収納ボックスを着脱自在に配置する機能をも有している。
【００１６】
上記中空ボックス状の鋼製骨組の内部には、上方から下方に向けて第一段目の木材収納ボックス１４ａ，第二段目の木材収納ボックス１４ｂ，第三段目の木材収納ボックス１４ｃ，第四段目の木材収納ボックス１４ｄが配置されており、各木材収納ボックス１４ａ，１４ｂ，１４ｃ，１４ｄ内に多数本の間伐材１５，１５が横置状として並置収納されている。図示例では第一段目の木材収納ボックス１４ａ及び第三段目の木材収納ボックス１４ｃの間伐材１５，１５の並置方向に対して、第二段目の木材収納ボックス１４ｂ及び第四段目の木材収納ボックス１４ｄの間伐材１５，１５の並置方向が９０度異なっている。間伐材１５，１５は格別の加工を施すことなく、丸太のまま使用する。
【００１７】
上記の実施例では、各木材収納ボックス１４ａ，１４ｂ，１４ｃ，１４ｄが４段構成となっているが、これに限定されることなく、鋼製骨組の内部に複数段の木材収納ボックスを配置することができる。
【００１８】
図３は第一段目の木材収納ボックス１４ａを構成するボックス本体１６を示す斜視図であり、このボックス本体１６は４枚のＬ型鋼１７，１７を略正方形に組み付けて溶着固定して構成され、該Ｌ型鋼１７の対向する部位に２枚の鋼板１８，１８が立設固着されている。この鋼板１８，１８の両端には曲折部１８ａ，１８ａが形成されていて、この曲折部１８ａ，１８ａの上端フランジ部にボルト穴１９，１９が開口されている。
【００１９】
図４はボックス本体１６上に固定する上蓋２０を示す斜視図であり、ボックス本体１６と同様に４枚のＬ型鋼２１，２１を略正方形に組み付けて溶着固定してあり、該Ｌ型鋼２１の対向する部位に計４枚の取付ブラケット２２，２２が固着されている。この取付ブラケット２２，２２にはボルト穴２３，２３が開口されている。更に上蓋２０の角部下面に鋼板２４，２４が固着されていて、この鋼板２４，２４にもボルト穴２５，２５が開口されている。
【００２０】
図５は上記ボックス本体１６に上蓋２０を組み付けて固定した木材収納ボックス１４ａを示す斜視図であり、ボックス本体１６の曲折部１８ａ，１８ａの上端に開口したボルト穴１９，１９と、上蓋２０の角部下面に固着された鋼板２４，２４に開口されたボルト穴２５，２５を用いてボックス本体１６と上蓋２０をボルト締結する。更にＬ型鋼２１の対向する部位に固着された取付ブラケット２２，２２の下に支持フレーム２６，２６を配置して、ボルト穴２３，２３を用いて木材収納ボックス１４ａと支持フレーム２６，２６をボルト締結してある。
【００２１】
図６は断面Ｈ型のチャンネル材で構成された柱材１２，１２に、木材収納ボックス１４ａの支持フレーム２６の端部を挿入して溶着した状態を示す要部斜視図である。なお、上記の実施例では第一段目の木材収納ボックス１４ａの取付構造に関して説明しているが、第二段目の木材収納ボックス１４ｂ，第三段目の木材収納ボックス１４ｃ及び第四段目の木材収納ボックス１４ｄに関してもほぼ同様な取付構造となっている。
【００２２】
更に図１に示したように、底盤１１上に立設された４本の柱材１２，１２の外側で該柱材１２，１２を隠蔽する部位に、複数本の間伐材１５，１５が平面視Ｌ字状に立設されている。図７の要部断面図に示したように底盤１１に有底の筒状体２８，２８の下部が埋設固定されており、該筒状体２８，２８内に間伐材１５，１５の下端部を嵌入してから各々ボルト２９，２９を用いて間伐材１５，１５が締付固定されている。
【００２３】
上記構成により、本発明にかかるハイブリッド魚礁１０は、コンクリート・鋼材・間伐材でなるハイブリッド構造とし、鋼製骨組内に着脱自在に配置された第一段目の木材収納ボックス１４ａ，第二段目の木材収納ボックス１４ｂ，第三段目の木材収納ボックス１４ｃ，第四段目の木材収納ボックス１４ｄ内に多数本の間伐材１５，１５を補充もしくは取替交換可能に並置収納するとともに、柱材１２，１２を隠蔽する部位にも間伐材１５，１５をＬ字状に立設したことが特徴となっている。
【００２４】
かかるハイブリッド魚礁によれば、海底に本発明にかかるハイブリッド魚礁１０を設置した際に、底盤１１により安定性が確保されるとともに４本の柱材１２，１２と４本の横桁材１３，１３によって構成された中空ボックス状の鋼製骨組によってハイブリッド魚礁としての形状が安定化して魚介類の住みかが形成される。
【００２５】
そして鋼製骨組内に配置された木材収納ボックス１４ａ，１４ｂ，１４ｃ，１４ｄ内に収納された多数本の間伐材１５，１５と、４本の柱材１２，１２の外側にＬ字状に立設された間伐材１５，１５が長期に亘って徐々に腐蝕しながらチッソ，リン等の栄養分を海中に供給する。この腐食した間伐材１５，１５が舟食虫等の虫の餌となり、又腐食した間伐材１５，１５によってもたらされる栄養分によってプランクトンが大量に発生し、プランクトン及び虫を食べるために小型の魚介類が蝟集し、この小型の魚介類を食べる大型の魚介類も蝟集する。
【００２６】
図８は間伐材１５，１５を補充もしくは取替交換する際の操作方法を示しており、作業船３０上に配備したクレーン３１の先端部からワイヤ３２を吊り下げ、海底で潜水士３３が玉掛けを行ってハイブリッド魚礁１０を作業船３０の甲板上に吊り上げ、作業員３４の手作業によって各木材収納ボックス１４ａ，１４ｂ，１４ｃ，１４ｄ内の間伐材１５，１５と柱材１２，１２の外側に立設された間伐材１５，１５の補充もしくは取替交換作業を行う。作業時には前記図５に示したように支持フレーム２６，２６と取付ブラケット２２，２２とを締結しているボルトを外すことにより、各木材収納ボックス１４ａ，１４ｂ，１４ｃ，１４ｄを支持フレーム２６，２６から簡単に取り外すことができるので、間伐材１５，１５の取替交換作業は容易となる。
【００２７】
上記により説明したように、本発明にかかるハイブリッド魚礁１０は従来の人工の魚礁のように単に魚介類を蝟集させる目的，即ち魚の生育場所と隠れ家を形成するだけでなく、間伐材１５，１５の腐蝕に伴って長期に亘って海中に舟食虫等の虫の餌を供給し、又栄養分を供給する機能を有しており、かつ、定期的に間伐材１５，１５を補充もしくは取替交換できることが大きな特長となっている。
【００２８】
【発明の効果】
以上詳細に説明したように、本発明によればコンクリート・鋼材・間伐材のハイブリッド構造としたことによって間伐材が長期に亘って徐々に腐蝕しながら、舟食虫等の虫の餌となり、又チッソ，リン等の栄養分を海中に供給することによってプランクトンが大量に発生し、プランクトン及び虫を食べるための小型の魚介類と、この小型の魚介類を食べる大型の魚介類の蝟集効果を高めることができる。特に定期的に間伐材を補充もしくは取替交換することができるので、この間伐材の腐蝕に伴って長期に亘って海中に舟食虫等の虫の餌と栄養分を供給することが可能となる。
【００２９】
更に従来から利用価値が比較的少ない間伐材の有効利用をはかることができるので、間伐などの維持管理が行われていない放置林をなくすとともに森林の適正な維持管理を継続するための林業従事者の生活を改善し、森林の公益的機能を高めることができる。
【００３０】
従って本発明によれば、コンクリート・鋼材・間伐材のハイブリッド構造とするとともに間伐材を補充もしくは取替交換することができるため、間伐材を長期間に亘って海中に設置することを可能とし、腐蝕した間伐材から舟食虫等の虫の餌と栄養分を海中に供給することにより、単に魚介類の生育場所と隠れ家を形成するだけでなく魚介類の生育を促進し、魚介類の蝟集効果を高めるとともに間伐材の利用価値を高めたハイブリッド魚礁を提供することができる。
【図面の簡単な説明】
【図１】本発明にかかるハイブリッド魚礁を全体的に示す斜視図。
【図２】図１の正面図。
【図３】木材収納ボックスを構成するボックス本体を示す斜視図。
【図４】木材収納ボックスを構成する上蓋を示す斜視図。
【図５】木材収納ボックスを示す斜視図。
【図６】木材収納ボックスの取付構造を示す要部斜視図。
【図７】間伐材の取付構造を示す要部断面図。
【図８】間伐材を取替交換する際の操作方法を示す概要図。
【図９】従来のコンクリート魚礁の一例を示す斜視図。
【符号の説明】
１０…ハイブリッド魚礁
１１…底盤
１１ａ…孔部
１２…柱材
１３…横桁材
１４ａ，１４ｂ，１４ｃ，１４ｄ…木材収納ボックス
１５…間伐材
１６…ボックス本体
１７，２１…Ｌ型鋼
１８，２４…鋼板
２０…上蓋
２６…支持フレーム
２８…筒状体
３０…作業船
３１…クレーン
３２…ワイヤ
整理番号  Ｐ３６３７
【図１】
2004344021.tif 000003
【図２】
2004344021.tif 000004
【図３】
2004344021.tif 000005
【図４】
2004344021.tif 000006
【図５】
2004344021.tif 000007
【図６】
2004344021.tif 000008
【図７】
2004344021.tif 000009
【図８】
2004344021.tif 000010
【図９】
2004344021.tif 000011